【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
ユーザーデバイスＵＥに応用されるアクセス制御方法であって、
無線リソース制御ＲＲＣ層により第１の原因値ｃａｕｓｅ ｖａｌｕｅを生成することと、
送信されるＲＲＣ専用シグナリングに前記第１の原因値をカプセル化することと、
前記第１の原因値がカプセル化された、送信されるＲＲＣ専用シグナリングをネットワーク側デバイスに送信することとを含み、
前記送信されるＲＲＣ専用シグナリングは、前記ネットワーク側デバイスがアクセス制御を行うために用いられる
ことを特徴とするアクセス制御方法。
【請求項２】
前記無線リソース制御ＲＲＣ層により第１の原因値ｃａｕｓｅ ｖａｌｕｅを生成する前に、前記方法は、さらに、
前記送信されるＲＲＣ専用シグナリングに非アクセス層ＮＡＳにより提供される第２の原因値が存在するかどうかを検出することと、
前記送信されるＲＲＣ専用シグナリングに前記第２の原因値が存在しない場合、ＲＲＣ層により前記第１の原因値を生成することとを含む
ことを特徴とする請求項１に記載のアクセス制御方法。
【請求項３】
前記無線リソース制御ＲＲＣ層により第１の原因値ｃａｕｓｅ ｖａｌｕｅを生成する前に、前記方法は、さらに、
前記ＵＥがあるＲＲＣ状態を検出することと、
前記ＵＥが接続Ｃｏｎｎｅｃｔｅｄ状態又は非アクティブｉｎａｃｔｉｖｅ状態にある場合、無線リソース制御ＲＲＣ層により第１の原因値ｃａｕｓｅ ｖａｌｕｅを生成することとを含む
ことを特徴とする請求項１に記載のアクセス制御方法。
【請求項４】
前記送信されるＲＲＣ専用シグナリングに前記第１の原因値をカプセル化することは、
前記送信されるＲＲＣ専用シグナリングに情報ユニットＩＥを追加で設定することと、
前記第１の原因値を前記追加で設定されたＩＥに書き込むこととを含み、前記追加で設定されたＩＥとＮＡＳ層により提供される第２の原因値が存在するＩＥとが、独立している
ことを特徴とする請求項１に記載のアクセス制御方法。
【請求項５】
ネットワーク側デバイスに応用されるアクセス制御方法であって、
ユーザーデバイスＵＥにより送信されたＲＲＣ専用シグナリングを受信することと、
前記ＲＲＣ専用シグナリングを解析して、前記ＲＲＣ専用シグナリングに搬送される第１の原因値を取得することと、
前記第１の原因値に基づいて、前記ＲＲＣ専用シグナリングに対するアクセスカテゴリＡｃｃｅｓｓ Ｃａｔｅｇｏｒｙを検索することと、
前記アクセスカテゴリに基づいて前記ＲＲＣ専用シグナリングに対してアクセス制御ＡＣを行うこととを含み、
前記第１の原因値は、前記ＵＥが無線リソース制御ＲＲＣ層により生成したものである
ことを特徴とするアクセス制御方法。
【請求項６】
前記ＲＲＣ専用シグナリングを解析して、前記ＲＲＣ専用シグナリングに搬送される第１の原因値を取得することは、
前記ＲＲＣ専用シグナリングを解析して、前記ＲＲＣ専用シグナリングに非アクセス層ＮＡＳにより提供される第２の原因値が存在するかどうかを検索することと、
前記ＲＲＣ専用シグナリングに前記第２の原因値が存在しない場合、ＲＲＣ層により生成される第１の原因値が存在するかどうかを検索することと、
前記ＲＲＣ専用シグナリングに前記第１の原因値が存在する場合、前記第１の原因値を取得することとを含む
ことを特徴とする請求項５に記載のアクセス制御方法。
【請求項７】
前記ＲＲＣ層により生成される第１の原因値が存在するかどうかを検索することは、
追加で設定された情報ユニットＩＥが存在するかどうかを検索することと、
追加で設定されたＩＥを検索した場合、追加で設定されたＩＥに前記第１の原因値が存在するかどうかを検定することとを含む
ことを特徴とする請求項６に記載のアクセス制御方法。
【請求項８】
生成部と、カプセルと、送信部と備えるユーザーデバイスＵＥであって、
前記生成部は、無線リソース制御ＲＲＣ層により第１の原因値ｃａｕｓｅ ｖａｌｕｅを生成するように構成され、
前記カプセルは、送信されるＲＲＣ専用シグナリングに前記第１の原因値をカプセル化するように構成され、
前記送信部は、前記第１の原因値がカプセル化された、送信されるＲＲＣ専用シグナリングをネットワーク側デバイスに送信するように構成され、
前記送信されるＲＲＣ専用シグナリングは、前記ネットワーク側デバイスがアクセス制御を行うために用いられる
ことを特徴とするＵＥ。
【請求項９】
前記ＵＥは、第１の検出部をさらに含み、
前記第１の検出部は、前記送信されるＲＲＣ専用シグナリングに非アクセス層ＮＡＳにより提供される第２の原因値が存在するかどうかを検出し、前記送信されるＲＲＣ専用シグナリングに前記第２の原因値が存在しない場合、前記生成部をトリガーするように構成される
ことを特徴とする請求項８に記載のＵＥ。
【請求項１０】
前記ＵＥは、さらに、第２の検出部を含み、
前記第２の検出部は、前記ＵＥがあるＲＲＣ状態を検出し、前記ＵＥが接続Ｃｏｎｎｅｃｔｅｄ状態又は非アクティブｉｎａｃｔｉｖｅ状態にある場合、前記生成部をトリガーするように構成される
ことを特徴とする請求項８に記載のＵＥ。
【請求項１１】
前記カプセル部は、前記送信されるＲＲＣ専用シグナリングに情報ユニットＩＥを追加で設定し、
前記第１の原因値を前記追加で設定されたＩＥに書き込むように構成され、
前記追加で設定されたＩＥとＮＡＳ層により提供される第２の原因値が存在するＩＥとが、独立している
ことを特徴とする請求項８に記載のＵＥ。
【請求項１２】
受信部と、解析部と、検索部と、制御部とを備える前記ネットワーク側デバイスであって、
前記受信部は、ユーザーデバイスＵＥにより送信されたＲＲＣ専用シグナリングを受信するように構成され、
前記解析部は、前記ＲＲＣ専用シグナリングを解析して、前記ＲＲＣ専用シグナリングに搬送される第１の原因値を取得するように構成され、前記第１の原因値は、前記ＵＥが無線リソース制御ＲＲＣ層により生成したものであり、
前記検索部は、前記第１の原因値に基づいて、前記ＲＲＣ専用シグナリングに対するアクセスカテゴリＡｃｃｅｓｓ Ｃａｔｅｇｏｒｙを検索するように構成され、
前記制御部は、前記アクセスカテゴリに基づいて前記ＲＲＣ専用シグナリングに対してアクセス制御ＡＣを行うように構成される
ことを特徴とするネットワーク側デバイス。
【請求項１３】
前記解析部は、
前記ＲＲＣ専用シグナリングを解析して、前記ＲＲＣ専用シグナリングに非アクセス層ＮＡＳにより提供される第２の原因値が存在するかどうかを検索し、
前記ＲＲＣ専用シグナリングに前記第２の原因値が存在しない場合、ＲＲＣ層により生成される第１の原因値が存在するかどうかを検索し、
前記ＲＲＣ専用シグナリングに前記第１の原因値が存在する場合、前記第１の原因値を取得するように構成される
ことを特徴とする請求項１２に記載のネットワーク側デバイス。
【請求項１４】
前記検索部は、
追加で設定された情報ユニットＩＥが存在するかどうかを検索し、
追加で設定されたＩＥを検索した場合、追加で設定されたＩＥに前記第１の原因値が存在するかどうかを検定するように構成される
ことを特徴とする請求項１３に記載のネットワーク側デバイス。
【請求項１５】
少なくとも１つのプロセッサによって実行されると、請求項１〜７のいずれか１項に記載の方法のステップを実現するアクセス制御のプログラムを記憶した
ことを特徴とするコンピュータ可読媒体。